【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
雄ファスナであって、
ａ）軸線と第１の末端と第２の末端とを含むシャフトと、
ｂ）前記シャフトは、第１のねじ付き表面と第２のねじ付き表面とを有するトライロビュラ形状を備えており、
ｃ）前記第１のねじ付き表面は、第１のロッキングねじ山と、第１の案内ねじ山と、第１の従来通りのねじ山とを含み、
ｄ）前記第２のねじ付き表面は、第２のロッキングねじ山と、第２の案内ねじ山と、第２の従来通りのねじ山とを含み、
ｅ）前記第１の案内ねじ山は、第１の雌ねじ付き部材の第１の雌ねじ山と嵌合整合するように前記シャフトの上の前記ねじ山を案内するための第１の案内手段を含み、
ｆ）前記第２の案内ねじ山は、第２の雌ねじ付き部材の第２の雌ねじ山と嵌合整合するように前記シャフトの上のねじ山を案内するための第２の案内手段を含み、
ｇ）前記第１の案内ねじ山は、前記シャフトの前記第１の末端に概ね位置しており、かつ、前記第１の従来通りのねじ山の中に直接的に到達し、および、前記第２の案内ねじ山は前記シャフトの前記第２の末端に概ね位置しており、かつ、前記第２の従来通りのねじ山の中に直接的に到達し、
ｈ）前記第１の従来通りのねじ山は、前記第１の雌ねじ付き部材上で自由に回転可能であるように前記第１の雌ねじ付き部材の前記第１の雌ねじ山と嵌合するように形状構成されている第１の谷径を含む第１の概ねＶ字形の谷底を備えており、
ｉ）前記第２の従来通りのねじ山は、前記第２の雌ねじ付き部材上で自由に回転可能であるように前記第２の雌ねじ付き部材の前記第２の雌ねじ山と嵌合するように形状構成されている第２の谷径を含む第２の概ねＶ字形の谷底を備えており、
ｊ）前記第１の従来通りのねじ山と前記第２の従来通りのねじ山は、複数の回旋にわたって延びる概ね一定不変の形状を含み、および、前記第１の従来通りのねじ山は前記第１のロッキングねじ山の中に直接的に到達し、および、前記第２の従来通りのねじ山は前記第２のロッキングねじ山の中に直接的に到達し、
ｋ）前記第１のロッキングねじ山は、前記第１の谷径よりも大きい第３の谷径を備えている第１の谷底面を含み、および、前記第２のロッキングねじ山は、前記第２の谷径よりも大きい第４の谷径を備えている第２の谷底面を含み、および、前記第１のロッキングねじ山は、前記シャフトと前記第１の雌ねじ付き部材との間の相対的な回転を阻止するために前記第１の雌ねじ山を再形成するように形状構成されており、および、前記第２のロッキングねじ山は、前記シャフトと前記第２の雌ねじ付き部材との間の相対的な回転を阻止するために前記第２の雌ねじ山を再形成するように形状構成されている
を備える雄ファスナ。
【請求項２】
前記谷底面の少なくとも１つは、前記シャフトの前記軸線に対して傾斜している請求項１に記載の雄ファスナ。
【請求項３】
前記谷底面の少なくとも１つは、前記シャフトの前記軸線に対して４度から８度までの角度にある請求項１に記載の雄ファスナ。
【請求項４】
前記案内手段は、第１の側面と第２の側面との間に位置している湾曲表面を含む請求項１に記載の雄ファスナ。
【請求項５】
前記案内手段は、湾曲している第１の側面と湾曲している第２の側面との間に位置している湾曲表面を含む請求項１に記載の雄ファスナ。
【請求項６】
前記雄ファスナ上に設けられている円錐形表面をさらに備える請求項１に記載の雄ファスナ。
【請求項７】
前記雄ファスナ上に設けられている円錐形表面と円筒形表面とをさらに備える請求項１に記載の雄ファスナ。
【請求項８】
ａ）前記雌ねじ付き部材は前記シャフトの前記軸線を中心として回転可能であり、
ｂ）前記雌ねじ付き部材上の環状表面が、波状の環状表面の一部分を形成する円周方向に方向配置されている複数の傾斜面を備えており、
ｃ）前記雌ねじ付き部材に対して相対的に回転可能であり、かつ、軸受面と締め付け面とを備えている座金本体であって、前記締め付け面は複数の突起を含み、および、前記軸受面は、前記雌ねじ付き部材上の前記環状表面に対して軸方向に対向しており、かつ、円周方向に方向配置されておりかつ波状の軸受面の一部分を形成する複数の傾斜面を備えている
をさらに備える請求項１に記載の雄ファスナ。
【請求項９】
雄ファスナであって、
ａ）軸線と第１の末端と第２の末端とを含むシャフトと、
ｂ）前記シャフトは、第１のねじ付き表面と第２のねじ付き表面とを有するトライロビュラ形状を備えており、
ｃ）前記第１のねじ付き表面は、第１のロッキングねじ山と、第１の案内ねじ山と、第１の従来通りのねじ山とを含み、
ｄ）前記第２のねじ付き表面は、第２のロッキングねじ山と、第２の案内ねじ山と、第２の従来通りのねじ山とを含み、
ｅ）前記第１の案内ねじ山は、前記第１の雌ねじ付き部材が前記シャフトの前記第１のねじ付き表面上にねじ付けられることが可能であるように、第１の雌ねじ付き部材の第１の雌ねじ山と嵌合整合するように前記シャフトの上の前記ねじ山を案内するための第１の案内手段を含み、
ｆ）前記第２の案内ねじ山は、前記第２の雌ねじ付き部材が前記シャフトの前記第２のねじ付き表面上にねじ付けられることが可能であるように、第２の雌ねじ付き部材の第２の雌ねじ山と嵌合整合するように前記シャフトの上の前記ねじ山を案内するための第２の案内手段を含み、
ｇ）前記第１の案内ねじ山は、前記シャフトの前記第１の末端に概ね位置しており、および、前記第１の従来通りのねじ山の中に直接的に到達し、および、前記第２の案内ねじ山は前記シャフトの前記第２の末端に概ね位置しており、かつ、前記第２の従来通りのねじ山の中に直接的に到達し、
ｈ）前記第１の従来通りのねじ山は、前記第１の雌ねじ付き部材上で自由に回転可能であるように前記第１の雌ねじ付き部材の前記第１の雌ねじ山と嵌合するように形状構成されている第１の谷径を含む第１の概ねＶ字形の谷底を備えており、
ｉ）前記第２の従来通りのねじ山は、前記第２の雌ねじ付き部材上で自由に回転可能であるように前記第２の雌ねじ付き部材の前記第２の雌ねじ山と嵌合するように形状構成されている第２の谷径を含む第２の概ねＶ字形の谷底を備えており、
ｊ）前記第１の従来通りのねじ山と前記第２の従来通りのねじ山は、複数の回旋にわたって延びる概ね一定不変の形状を含み、および、前記第１の従来通りのねじ山は前記第１のロッキングねじ山の中に直接的に到達し、および、前記第２の従来通りのねじ山は前記第２のロッキングねじ山の中に直接的に到達し、
ｋ）前記第１のロッキングねじ山は、前記第１の谷径よりも大きい第３の谷径を備えている第１の谷底面を含み、および、前記第２のロッキングねじ山は、前記第２の谷径よりも大きい第４の谷径を備えている第２の谷底面を含み、および、前記第１のロッキングねじ山は、前記シャフトと前記第１の雌ねじ付き部材との間の相対的な回転を阻止するために前記第１の雌ねじ山を再形成するように形状構成されており、および、前記第２のロッキングねじ山は、前記シャフトと前記第２の雌ねじ付き部材との間の相対的な回転を阻止するために前記第２の雌ねじ山を再形成するように形状構成されている
を備える雄ファスナ。
【請求項１０】
前記谷底面の少なくとも１つは、前記シャフトの前記軸線に対して傾斜している請求項９に記載の雄ファスナ。
【請求項１１】
前記谷底面の少なくとも１つは、前記シャフトの前記軸線に対して４度から８度までの角度にある請求項９に記載の雄ファスナ。
【請求項１２】
前記案内手段は、第１の側面と第２の側面との間に位置している湾曲表面を含む請求項９に記載の雄ファスナ。
【請求項１３】
前記案内手段は、湾曲している第１の側面と湾曲している第２の側面との間に位置している湾曲表面を含む請求項９に記載の雄ファスナ。
【請求項１４】
前記雄ファスナ上に設けられている円錐形表面をさらに備える請求項９に記載の雄ファスナ。
【請求項１５】
前記雄ファスナ上に設けられている円錐形表面と円筒形表面とをさらに備える請求項９に記載の雄ファスナ。
【請求項１６】
ａ）前記雌ねじ付き部材は前記シャフトの前記軸線を中心として回転可能であり、
ｂ）前記雌ねじ付き部材上の環状表面が、波状の環状表面の一部分を形成する円周方向に方向配置されている複数の傾斜面を備えており、
ｃ）前記雌ねじ付き部材に対して相対的に回転可能であり、かつ、軸受面と締め付け面とを備えている座金本体であって、前記締め付け面は複数の突起を含み、および、前記軸受面は、前記雌ねじ付き部材上の前記環状表面に対して軸方向に対向しており、かつ、円周方向に方向配置されておりかつ波状の軸受面の一部分を形成する複数の傾斜面を備えている
をさらに備える請求項９に記載の雄ファスナ。
【請求項１７】
雄ファスナであって、
ａ）第１のねじ付き表面と第２のねじ付き表面とを有するトライロビュラ形状を備えており、かつ、さらに、第１の案内ねじ山と、第１の従来通りのねじ山と、第１のロッキングねじ山と、第２の案内ねじ山と、第２の従来通りのねじ山と、第２のロッキングねじ山とを備えているシャフトと、
ｂ）前記第１の案内ねじ山は、第１の雌ねじ付き部材の第１の雌ねじ山と嵌合整合するように前記シャフトの上の前記ねじ山を案内するための第１の案内手段を含み、
ｃ）前記第２の案内ねじ山は、第２の雌ねじ付き部材の第２の雌ねじ山と嵌合整合するように前記シャフトの上の前記ねじ山を案内するための第２の案内手段を含み、
ｄ）前記第１の案内ねじ山は、前記シャフトの第１の末端に概ね位置しており、および、前記第１の従来通りのねじ山の中に直接的に到達し、および、前記第２の案内ねじ山は前記シャフトの第２の末端に概ね位置しており、および、前記第２の従来通りのねじ山の中に直接的に到達し、
ｅ）前記第１の従来通りのねじ山は、前記第１の雌ねじ付き部材上で自由に回転可能であるように前記第１の雌ねじ付き部材の前記第１の雌ねじ山と嵌合するように形状構成されている第１の谷径を含む第１の概ねＶ字形の谷底を備えており、
ｆ）前記第２の従来通りのねじ山は、前記第２の雌ねじ付き部材上で自由に回転可能であるように前記第２の雌ねじ付き部材の前記第２の雌ねじ山と嵌合するように形状構成されている第２の谷径を含む第２の概ねＶ字形の谷底を備えており、
ｇ）前記第１の従来通りのねじ山と前記第２の従来通りのねじ山は、複数の回旋にわたって延びる概ね一定不変の形状を含み、および、前記第１の従来通りのねじ山は前記第１のロッキングねじ山の中に直接的に到達し、および、前記第２の従来通りのねじ山は前記第２のロッキングねじ山の中に直接的に到達し、
ｈ）前記第１のロッキングねじ山は、前記第１の谷径よりも大きい第３の谷径を備えている第１の谷底面を含み、および、前記第２のロッキングねじ山は、前記第２の谷径よりも大きい第４の谷径を備えている第２の谷底面を含み、および、前記第１のロッキングねじ山は、前記シャフトと前記第１の雌ねじ付き部材との間の相対的な回転を阻止するために前記第１の雌ねじ山を再形成するように形状構成されており、および、前記第２のロッキングねじ山は、前記シャフトと前記第２の雌ねじ付き部材との間の相対的な回転を阻止するために前記第２の雌ねじ山を再形成するように形状構成されている
を備える雄ファスナ。
【請求項１８】
前記谷底面の少なくとも１つは、前記シャフトの前記軸線に対して傾斜している請求項１７に記載の雄ファスナ。
【請求項１９】
前記谷底面の少なくとも１つは、前記シャフトの前記軸線に対して４度から８度までの角度にある請求項１７に記載の雄ファスナ。
【請求項２０】
前記案内手段は、第１の側面と第２の側面との間に位置している湾曲表面を含む請求項１７に記載の雄ファスナ。
【請求項２１】
前記案内手段は、湾曲している第１の側面と湾曲している第２の側面との間に位置している湾曲表面を含む請求項１７に記載の雄ファスナ。
【請求項２２】
前記雄ファスナ上に設けられている円錐形表面をさらに備える請求項１７に記載の雄ファスナ。
【請求項２３】
前記雄ファスナ上に設けられている円錐形表面と円筒形表面とをさらに備える請求項１７に記載の雄ファスナ。
【請求項２４】
ａ）前記雌ねじ付き部材は前記シャフトの前記軸線を中心として回転可能であり、
ｂ）前記雌ねじ付き部材上の環状表面が、波状の環状表面の一部分を形成する円周方向に方向配置されている複数の傾斜面を備えており、
ｃ）前記雌ねじ付き部材に対して相対的に回転可能であり、かつ、軸受面と締め付け面とを備えている座金本体であって、前記締め付け面は複数の突起を含み、および、前記軸受面は、前記雌ねじ付き部材上の前記環状表面に対して軸方向に対向しており、かつ、円周方向に方向配置されておりかつ波状の軸受面の一部分を形成する複数の傾斜面を備えている
をさらに備える請求項１７に記載の雄ファスナ。
【手続補正２】
【補正対象書類名】明細書
【補正対象項目名】００２１
【補正方法】変更
【補正の内容】
【００２１】
第一傾斜面４４と第二傾斜面４６との間には、根元面４５が設けられている。ロック用ねじ山４１内の根元面４５は谷径を含んでいる。この根元面４５は端部分２０の軸に沿って延びる仮想水平線Ａに対して４〜８°の角度をなしている。根元面４５は、従来のねじ山に見られるのよりも広い幅を有し、ロック用ねじ山４１が湾曲部分１６の方向に収斂するように構成されている。
【手続補正３】
【補正対象書類名】明細書
【補正対象項目名】００２２
【補正方法】変更
【補正の内容】
【００２２】
ロック用ねじ山４１はナット本体６２のねじ山６４と連携するように構成されていて、ここでは雌ねじ付き部材とも呼ぶ。ナット本体６２が端部分２０にねじ込まれると、ロック用ねじ山４１内の根元面４５は、ナット本体６２のねじ山６４に力を及ぼす。図６に示されているように、ナット本体６２のねじ山６４が金属を含んでいる場合には、根元面４５はナット本体６２のねじ山６４に力を及ぼし、金属がねじ山６４の斜面（フランク）４８を上向きに流れる。
【手続補正４】
【補正対象書類名】明細書
【補正対象項目名】００２４
【補正方法】変更
【補正の内容】
【００２４】
図４に示されているように、複数のＶ字型ねじ山４４（ここでは従来のねじ山とも呼ぶ）が複数のロック用ねじ山４１に隣接して設けられていて、そしてねじの谷１２９を備えている。Ｖ字型ねじ山４４は谷径と山径とを含んでいる。図２に図示するように、ロック用ねじ山４１の谷径はＶ字型ねじ山４４の谷径より大きい。複数のＶ字型ねじ山４２の断面図は、図８に詳細に示されている。ここに示されているように、Ｖ字型ねじ山４２は第一側面５０と第二側面５１とを具えている。これらの側面５０，５１は互いに当接し、Ｖ字形状を形成している。第一側面５０は第二側面５１に対して、好ましくは３０〜９０°の角度を有している。
【手続補正５】
【補正対象書類名】明細書
【補正対象項目名】００２５
【補正方法】変更
【補正の内容】
【００２５】
図４は、更に、Ｖ字型ねじ山４２に隣接して設けられた複数の湾曲したねじ山４３を示している。本出願において、用語「湾曲したねじ山４３」は、ガイド用ねじ山とも呼ばれる。図９は複数の湾曲したねじ山４３の詳細な断面図を示している。本発明の一態様によれば、この湾曲ねじ山４３は交差螺合を防ぐように構成されている。ねじ山付きの本発明の別の態様によれば、湾曲したねじ山４３はナット本体６２のねじ山６４を配向させて、該ねじ山６４が端部分２０においてねじ山の付いた面４０に整合するように構成されている。
【手続補正６】
【補正対象書類名】明細書
【補正対象項目名】００２７
【補正方法】変更
【補正の内容】
【００２７】
図１１は別のねじ山付き面４０の断面図を示す。ここに示されているように、このねじ山付き面４０は複数のガイド用ねじ山５３を具えている。ガイド用ねじ山５３は山径を含んでいる。図４及び１１に図示するように、ガイド用ねじ山４３，５３，６３はシャフト１０における従来のねじ山と異なるものである。すなわち、従来のねじ山は、少なくとも一部分がガイド用ねじ山（ここでは“第二の山径”と呼ぶ）の山径より大きい山径（ここでは“第一の山径”と呼ぶ）を備えている。本発明の一態様によれば、ガイド用ねじ山５３は交差螺合を防ぐように構成されている。別の態様によれば、ガイド用ねじ山５３は、ナット本体６２のねじ山６４が端部分２０においてねじ山付き面４０に整合するようにねじ山６４を配向させる。図１１に示されているように、ガイド用ねじ山５３は端部分２０の端に位置決めされ、Ｖ字型ねじ山４２よりも小さい直径を有している。本出願において、用語“ガイド手段”はシャフト１０におけるねじ山を表わすものであって、その山径は少なくともその一部分において、シャフト１０における従来のねじ山の山径より小さい。ガイド手段は、シャフト１０のねじ山を雌ねじ山部材にほぼ整列しているシャフト１０の構造体を含んでいる。
【手続補正７】
【補正対象書類名】明細書
【補正対象項目名】００２８
【補正方法】変更
【補正の内容】
【００２８】
複数の平坦なねじ山６３がガイド用ねじ山５３に隣接して設けられている。本出願において、用語“平坦なねじ山６３”はガイド用ねじ山とも呼ばれる。図１１に示されているように、平坦なねじ山６３は複数の平坦部５５を有している。これらの平坦部５５は交差螺合を防ぎ、そしてねじ山６４がねじ山付きの面４０に整合するようにナット本体６２を配向させる形状になっている。図１１に示された実施形態においては、平坦部５５は円錐状又は円錐台状をなし、好ましくは傾斜した断面形状を有している。
【手続補正８】
【補正対象書類名】明細書
【補正対象項目名】０１１７
【補正方法】変更
【補正の内容】
【０１１７】
本発明をその好適実施形態を参照して説明したが、当業者であれば、本発明の精神及び添付の特許請求の範囲から逸脱することなく、種々の改変が可能なことは理解される出あろう。
図４０において、シャフト１０が軸２３と、第一のシャフト要素１２４と、第二のシャフト要素１２５とを含んでいる。第一のシャフト要素１２４は第一の外径１２６及び半径１２７を含んでいる。半径１２７はシャフト１０の軸１２３から第１の外表面１２６へ延伸している。第二のシャフト要素１２８は歯底曲面４５を含んでいるロック用ねじ山４１を備えている。軸１２３と第二のシャフト要素１２８の歯底曲面４５との間の距離は、第一シャフト要素１２４の半径より大きい。
【手続補正９】
【補正対象書類名】明細書
【補正対象項目名】０１１８
【補正方法】変更
【補正の内容】
【０１１８】
【図１】図１は、好適実施形態のＵ字型ボルトの側面図を示す。
【図２】図２は、別の実施形態のＵ字型ボルトの側面図を示す。
【図３】図３は、シャフトの長さを描いたシャフトの側面図を示す。
【図４】図４は、好適実施形態のＵ字型ボルトの端のねじ山面の拡大図を示す。
【図５】図５は、好適実施形態のＵ字型ボルトのロック用ねじ山の拡大図を示す。
【図６】図６は、ナット本体のねじ山と連携するロック用ねじ山の拡大図を示す。
【図７】図７は、ナット本体のねじ山と連携するロック用ねじ山の拡大図を示す。
【図８】図８は、好適実施形態のＵ字型ボルトのＶ字型ねじ山の拡大図を示す。
【図９】図９は、好適実施形態のＵ字型ボルトの湾曲したねじ山の拡大図を示す。
【図１０】図１０は、別の実施形態のＵ字型ボルトの湾曲したねじ山の拡大図を示す。
【図１１】図１１は、別の実施形態のＵ字型ボルトのねじ山付きの面の拡大図を示す。
【図１２】図１２は、現在のところ好適なＵ字型ボルトの端部分の底面図を示す。
【図１３】図１３は、Ｕ字型ボルトの長手方向軸に側面図を示す。
【図１３Ａ】図１３Ａは、鋼の粒子とＵ字型ボルトの長手方向軸の拡大図を示す。
【図１４】図１４は、ナット/ワッシャーアセンブリの分解斜視図である。
【図１５】図１５は、ナットの側面図である。
【図１６】図１６は、ナットの拡大側面図である。
【図１７】図１７は、ナットの側面図である。
【図１８】図１８は、ナットの拡大側面図である。
【図１９】図１９は、ナットとワッシャーの一部断面の底面図である。
【図２０】図２０は、ワッシャーの一部断面の側面図である。
【図２１】図２１は、ワッシャーの一部断面の拡大側面図である。
【図２２】図２２は、ワッシャーの一部断面の側面図である。
【図２３】図２３は、ワッシャーの一部断面の拡大側面図である。
【図２４】図２１は、ワッシャーの一部断面の拡大側面図である。
【図２５】図２５は、ワッシャーの一部断面の側面図である。
【図２６】図２６は、Ｕ字型ボルトの端部分と連携するナット/ワッシャーアセンブリの一部断面の側面図である。
【図２７】図２７は、ワッシャーの一部断面の側面図である。
【図２８】図２８は、別の実施形態における固定具アセンブリの一部断面の底面図である。
【図２９】図２９は、別の実施形態における固定具アセンブリの一部断面の平面図である。
【図３０】図３０は、別の実施形態におけるナットとワッシャーの一部断面の側面図である。
【図３１】図３１は、別の実施形態のナットとワッシャーの環状担持面の四分の一セグメントの平面図であり、互いの外周関係を示している。
【図３２】図３２は、別の実施形態におけるアセンブリ内で係合している面と面の円弧部分（この図の１８０°の円弧における）の拡大断面図であり、これによって真っ直ぐになった湾曲面である。
【図３３】図３３は、ナット/ワッシャーアセンブリの一部断面の側面図である。
【図３４】ワッシャーの一部断面の拡大側面図である。
【図３５】図３５は、ナット/ワッシャーアセンブリの一部断面の側面図である。
【図３６】図３６は、ワッシャーの分解斜視図である。
【図３７】図３７は、ナットの側面図である。
【図３８】図３８は、ナット/ワッシャーアセンブリの一部断面の平面図である。
【図３９】図３９は、ナット/ワッシャーアセンブリの側面図である。
【図４０】図４０は、Ｕ字型ボルトの端のねじ山面の拡大図を示す。
【手続補正１０】
【補正対象書類名】図面
【補正対象項目名】図８
【補正方法】変更
【補正の内容】
【図８】
2007512488.tif 000001
【手続補正１１】
【補正対象書類名】図面
【補正対象項目名】図４０
【補正方法】追加
【補正の内容】
【図４０】
2007512488.tif 000002